(57)【要約】【課題】照明器具本体の下側に透光性カバーが組み合わされた照明器具において、照明器具内部に侵入した水や照明器具内部に発生する結露水を排水すると共に、照明器具に降りかかる雨水の侵入を抑制し、更に、照明器具が消灯したとき生じる照明器具内外の圧力差によって生じる雨水の吸引を抑制できる構成の照明器具を提供する。【解決手段】照明器具本体の下側に透光性カバーが組み合わされた照明器具において、前記照明器具の内外を連通するように前記透光性カバーの下面低部に形成された排水孔と、前記透光性カバーの外面を流れる水が前記排水孔を迂回して流れる迂回流路を形成する突出壁を備えること。【選択図】図１０
2017208264.tif 000002
【特許請求の範囲】
【請求項１】
ＬＥＤ素子を備えるＬＥＤ基板を取り付けた下面開口を有する本体の前記下面開口を透光性カバーで閉塞する照明器具において、前記照明器具の内外を連通するように前記透光性カバーの下面低部に形成された排水孔と、前記透光性カバーの外面を流れる水が前記排水孔を迂回して流れる迂回流路を形成する突出壁を備える、
ことを特徴とする照明器具。
【発明の詳細な説明】
【技術分野】
【０００１】
本発明は、屋外に設置される照明器具において、その内部に侵入した水や内部に発生する結露水を排水する構成を有する照明器具に関する。
【背景技術】
【０００２】
生活道路等に設置される照明器具の一つである防犯灯は、浸水や結露等により内部に水が溜まった場合、排水するために透光性カバーに水抜き孔を設けている。
その一つとして、器具本体の下側に取り付けるカバーを備え、カバー内部に光源であるＬＥＤユニットを収容し、カバーは下方に向かって先細り形状の最下部に水抜き孔を形成し、且つ水抜き孔よりも上方位置に空気孔を形成するものがある（特許文献１）。
【０００３】
また、もう一つとして、ＬＥＤ光源と光源の点灯装置を取り付けた器具本体ケースと、器具本体ケースと共にＬＥＤ光源と光源の点灯装置を収容する空間を形成するカバーを備え、カバー後部に下方へ膨出する水抜き凸部を形成し、この水抜き凸部に水抜き穴を形成するものがある（特許文献２）。
【先行技術文献】
【特許文献】
【０００４】
【特許文献１】特開２０１１-０６０５８３号公報
【特許文献２】特開２０１４-０６００３４号公報
【発明の概要】
【発明が解決しようとする課題】
【０００５】
特許文献１では、内部に溜まる水は水抜き孔から排水でき、圧力差による水の吸入防止は空気孔が作用するということであるが、風雨が強いときに生じる照明器具の下方から吹き上げる雨水が空気孔から侵入することが懸念される。
【０００６】
また特許文献２では、ＬＥＤ素子を備えるＬＥＤ基板を取り付けた下面開口を有する本体の下面開口を透光性カバーで閉塞する照明器具において、透光性カバーに形成した水抜き穴周辺に付着する雨水は、照明器具が消灯したとき生じる照明器具内外の圧力差によって、水抜き穴から照明器具内に吸引される虞がある。
【０００７】
本発明は、これらの点に鑑み、ＬＥＤ素子を備えるＬＥＤ基板を取り付けた下面開口を有する本体の下面開口を透光性カバーで閉塞する照明器具において、照明器具内部に侵入した水や照明器具内部に発生する結露水を排水すると共に、照明器具に降りかかる雨水の侵入を抑制し、更に、点灯している照明器具が消灯した場合、そのとき生じる照明器具内外の圧力差によって生じる雨水の吸引を抑制できる構成の照明器具を提供する。
【課題を解決するための手段】
【０００８】
第１の本発明は、ＬＥＤ素子を備えるＬＥＤ基板を取り付けた下面開口を有する本体の前記下面開口を透光性カバーで閉塞する照明器具において、前記照明器具の内外を連通するように前記透光性カバーの下面低部に形成された排水孔と、前記透光性カバーの外面を流れる水が前記排水孔を迂回して流れる迂回流路を形成する突出壁を備える、
ことを特徴とする。
【０００９】
第２の本発明の照明器具は、上記第１において、
前記照明器具は、取り付け状態において前記透光性カバーの下面は後部よりも前部が高くなる取り付け構成であり、
前記排水孔は前記透光性カバーの下面低部に形成され、
前記突出壁は、前記排水孔を取り囲み前記排水孔の後側に開口部を有する、
ことを特徴とする。
【００１０】
第３の本発明の照明器具は、上記第２において、
前記突出壁は、前記透光性カバーの側面視で、前記排水孔の前側部が高く前記排水孔の後側部が低い形態をなし、前記排水孔の全体を覆う高さである、
ことを特徴とする。
【００１１】
第４の本発明のＬＥＤ照明器具は、上記第２または第３において、
前記突出壁の後端は、前記透光性カバーの最低部と同等位置または前記最低部から後方に延出し開口部を有する、
ことを特徴とする。
【００１２】
第５の本発明の照明器具は、上記第１乃至第４のいずれかにおいて、
前記突出壁は、前記透光性カバーの平面視で、前記透光性カバーを流れる水の上流側から下流側に向けて上流側が先細り形状をなし下流側が大きくなる水滴形状である、
ことを特徴とする。
【００１３】
第６の本発明の照明器具は、上記第１乃至第５のいずれかにおいて、前記排水孔は前記透光性カバーを流れる水の上流側から下流側に向けて細長く延びる並列の複数の長孔で形成され、各長孔の幅は１ｍｍ以下である、
ことを特徴とする。
【発明の効果】
【００１４】
上記第１の本発明は、照明器具の内外を連通するように透光性カバーの下面低部に形成された排水孔と、透光性カバーの外面を流れる水が排水孔を迂回して流れる迂回流路を形成する突出壁を備える。
このため、透光性カバーの外面を流れる水の排水孔への付着や、排水孔から照明器具内への侵入防止作用が良好となり、点灯及び消灯における排水孔を通した空気流通作用により内外圧力差の解消が得られ、消灯時における排水孔から照明器具内への吸水防止作用が良好となり、照明器具内の電気部品が保護される。
【００１５】
上記第２の本発明は、照明器具は、取り付け状態において透光性カバーの下面は後部よりも前部が高くなる取り付け構成であり、排水孔は透光性カバーの下面低部に形成され、突出壁は、排水孔を取り囲み排水孔の後側に開口部を有する。
このため、突出壁によって排水孔への雨水の流入防止作用が良好となり、透光性カバーの前部から後部へ流れる水は突出壁の開口部によって水切りされ落下するため、排水孔への水の付着が防止され、例え付着してもその水は突出壁の開口部から流れ出すため、照明器具内への水の侵入防止作用が良好となる。
【００１６】
上記第３の本発明は、突出壁は、透光性カバーの側面視で、排水孔の前側部が高く排水孔の後側部が低い形態をなすため、透光性カバーを伝って流れる雨水の排水孔への付着や、排水孔からの水の流入防止作用が良好となる。
【００１７】
上記第４の本発明は、突出壁の後端は、透光性カバーの最低部と同等位置またはこの最低部から後方に延出し開口部を有するため、排水孔周辺での水切り作用が良好となり、排水孔への水の付着や、排水孔からの水の流入防止作用が良好となる。
【００１８】
上記第５の本発明は、突出壁は、透光性カバーの平面視で、透光性カバーを流れる水の上流側から下流側に向けて上流側が先細り形状をなし下流側が大きくなる水滴形状であるため、突出壁周辺を伝う水の流れがスムーズになり、水切り作用も良好となり、排水孔への水の付着や、排水孔から照明器具内への水の侵入防止作用が良好となる。
【００１９】
上記第６の本発明は、排水孔は透光性カバーを流れる水の上流側から下流側に向けて細長く延びる並列の複数の長孔で形成され、各長孔の幅は１ｍｍ以下である。このため、点灯及び消灯における排水孔を通した空気流通作用により内外圧力差の解消が得られ、消灯時に排水孔の一部によって照明器具の内外が連通していることにより、排水孔から照明器具内への吸水作用が抑制できる。
【図面の簡単な説明】
【００２０】
【図１】本発明に係る照明器具の分解斜視図である。
【図２】本発明に係る照明器具の縦断側面図である。
【図３】本発明に係る照明器具の本体と透光性カバーを組み合わせた状態を断面で示す説明図である。
【図４】本発明に係る照明器具を支柱に取り付けた状態の側面図である。
【図５】本発明に係る照明器具を支柱に取り付けた状態を上方から視た図である。
【図６】本発明に係る照明器具をポールに取り付ける状態を断面で示す説明図である。
【図７】本発明に係る照明器具をポールに取り付けた状態の側面図である。
【図８】本発明に係る照明器具をポールに取り付けた状態を上方から視た図である。
【図９】本発明に係る照明器具の側面図である。
【図１０】本発明に係る照明器具の下面図である。
【図１１】本発明に係る排水孔部分の縦断側面図である。
【図１２】本発明に係る突出壁の斜視図である。
【発明を実施するための形態】
【００２１】
本発明の照明器具１は、下面に開口部２Ａを有し開口部２Ａに対応して発光部６を備え後部に取り付け部１０を備える本体２と、本体の開口部２Ａを塞ぐように本体２に透光性カバー３が組み合わされており、照明器具１の内外を連通するように透光性カバー３の下面低部に形成された排水孔５０と、透光性カバー３の外面を流れる水が排水孔５０を迂回して流れる迂回流路を形成する突出壁４０を備える構成である。
以下、本発明の実施形態に係わる照明器具１をＬＥＤ照明器具１として、図面を参照して具体的に説明する。
【００２２】
図１に示すように、本発明の照明器具１は、下面の略全域が開口するように開口部２Ａを形成した内部空間４を有し、支柱等への取り付け部１０を後部に備え、内外両面に防錆効果のある熱伝導性塗装を施した金属製本体２と、開口部２Ａを塞ぐように本体２に組み合わされる透光性カバー３を備える前後方向に長い形態であり、開口部２Ａに沿って発光部６を配置している。発光部６は、ＬＥＤ素子７が放射する光を所定の配光にて出射する部分であり、ＬＥＤ基板５の下側面にＬＥＤ素子７が配置され、ＬＥＤ素子７を覆うようにＬＥＤ基板５に組み合わされＬＥＤ素子７が放射する光を所定の配光にて出射する配光ユニット８を備える。
【００２３】
図１乃至図３に示すように、本発明のＬＥＤ照明器具１は、下面開口２Ａの金属製本体２と、この本体２の下面開口２Ａを塞ぐように下面開口２Ａの周縁部に組み合わされる合成樹脂製の透光性カバー３を備える。透光性カバー３は下方に膨らんだ形態をなし、上端周縁部には上方へ突出する環状のフランジ３Ｆが形成されている。本体２の下面開口２Ａの周縁部２Ａ１は、透光性カバー３のフランジ３Ｆが嵌り込む環状の溝２Ｍを有し、溝２Ｍの外側を巡るように下方へ突出する環状のフランジ２Ｆを形成している。
【００２４】
溝２Ｍにフランジ３Ｆが嵌り込むように、透光性カバー３を本体２の下面開口２Ａに組み合わせた状態で、ネジＮＪで下面開口２Ａの周縁部２Ａ１に固定する。溝２Ｍとフランジ３Ｆのように嵌り合う凹凸構成によって、本体２と透光性カバー３との間が防水構造をなしている。なお、溝２Ｍの上底にパッキンを収容し、このパッキンがフランジ３Ｆによって圧縮される構成によって、更によい防水効果が得られる。
【００２５】
内部空間４のうちの前部空間４Ａにおいて、下面開口２Ａに沿ってＬＥＤ基板５が、後述のように本体２に伝熱的に取り付けられる。電気絶縁性のＬＥＤ基板５は、複数のＬＥＤ素子（発光ダイオード）７を下面に実装し、ＬＥＤ素子７への電路が同じ下面にプリント配線として形成され、このプリント配線を絶縁被膜で覆っている。ＬＥＤ基板５の下面には、ＬＥＤ基板５と重ね合わせ状態に配光ユニット８が配置されている。配光ユニット８は透光性合成樹脂製であり、板状部８１に各ＬＥＤ素子７に対応するように、複数の配光部８２を一体形成しており、所定位置において板状部８１が、ＬＥＤ基板５を貫通して本体２に形成した取り付けボス１３Ｂに螺合するネジ９によって取り付けられる。これによって配光ユニット８がＬＥＤ基板５の下面に取り付けられる。配光部８２は、ＬＥＤ素子７ごとに所定配光の出射光を形成するために、各ＬＥＤ素子７に対応するレンズ形態であり、ＬＥＤ照明器具１の前後方向軸に対して左右方向に長い配光特性を有する。図１に示すように、配光ユニット８は、前側配光ユニット８Ｐと後側配光ユニット８Ｑで構成している。
【００２６】
配光ユニット８を構成する前側配光ユニット８Ｐと後側配光ユニット８Ｑは、ＬＥＤ照明器具１の前後方向に対して、左右方向に楕円形、長円形等のように長く延びる左右方向の配光特性が形成されるように、配光部８２として、ＬＥＤ素子７ごとに所定配光の出射光を形成する第１の配光特性部８３Ａを形成している。このため、第１の配光特性部８３Ａは、図１〜図３から明らかなように、板状部８１からかまぼこ形態または米俵の半分の形態のように、断面が略一定の半円形で以って左右方向に長く前後端部が球面状をなして下方へ突出するレンズ構成であり、内部にＬＥＤ素子７が侵入する下方に向けて窄む窪みが形成されている。実施例では、各配光特性部８３Ａからの出射光による配光は、同じ配光形態となる構成であるが、ＬＥＤ照明器具１の求める照射形態に応じて、それぞれ異なる配光形態となる構成でもよい。
【００２７】
なお、図面に示す第１の配光特性部８３Ａは、中央部に長さ方向の直線が描かれ、この直線の前後端部から４本の斜線が描かれているが、これはコンピュータ作図によって生じる曲面の表示であり、配光特性部８３Ａの形態は上記のように、断面が略一定の半円形状の長さの両端部が球面形状のレンズ構成である。
【００２８】
図１乃至図３に示すように、本体２は、アルミニウムを材料としてダイキャスト成形され、電柱等の支柱へ取り付ける取り付け部１０を後部に一体形成し、内部空間４のうちの大半を占める前部空間４Ａには、ＬＥＤ基板５の上面を支える前後方向に並行に延びる複数の熱伝導リブ１１と、熱伝導リブ１１にＬＥＤ基板５の上面が当接した状態でＬＥＤ基板５の４隅の孔５Ｐを通してネジ１２で取り付ける取り付けボス１３が、本体２に一体に形成されている。ＬＥＤ基板５は、取り付けボス１３に取り付けられた状態で、中央部が前後方向に並ぶボス１３Ｂで支えられると共に、前部空間４Ａにおける下面開口２Ａの殆どを塞ぐように、下面開口２Ａよりも若干内部空間４側へ入った位置（前部空間４Ａ側へ入った位置）において、下面開口２Ａに略並行に沿った状態である。本体２の内部空間４は、前部から後部に向けて次第に深くなるように（下面開口２Ａを基準とすれば次第に上方に高くなるように）形成している。ＬＥＤ基板５の上面には、電気的接続とならないように、下面のプリント配線とは接続しない状態に放熱用の熱伝導被膜が形成されており、この熱伝導被膜が熱伝導リブ１１に当接して、ＬＥＤ基板５の発熱をこの熱伝導被膜から熱伝導リブ１１を経て本体２の表面から放熱する仕組みである。
【００２９】
また、ＬＥＤ照明器具１は、ＬＥＤ素子７に点灯電力を供給する電源部と、ＬＥＤ素子７の点灯と消灯の制御を行う制御回路とを含む制御部１４が、前部空間４Ａの後方に位置する後部空間４Ｂに配置されている。このため、制御部１４は、ＬＥＤ基板５よりも後方配置となる。制御部１４は、電源部を構成する電気部品と、前記制御回路を構成する電気回路部品がプリント配線基板である制御基板１５に取り付けられ、制御基板１５が後部空間４Ｂに本体２から一体に突出する４本の取り付けボス１６にネジ１７で固定されている。
この状態で、制御基板１５は、下面開口２Ａから深く空間４側へ入った位置（後部空間４Ｂに深く入った位置）であり、ＬＥＤ基板５よりも内部空間４内へ深く入った位置（本体２の上面に近い位置）を維持する。
【００３０】
制御部１４が透光性カバー３を通して外部から見えないようにするために、制御部１４を下側から全体的に覆う目隠しカバー１８が、本体２から一体に突出する４本の取り付けボス１９にネジ２０にて取り付けられている。目隠しカバー１８は、黒色等の着色を施した合成樹脂板か金属板で構成する。
【００３１】
ＬＥＤ照明器具１は、取り付け部１０を後部１Ａとしてそこから前部１Ｂへ長く延びる形態をなし、発光部６の発光によって、配光ユニット８と透光性カバー３を通して道路等の路面を照明する。
このため、本体２と透光性カバー３は、後部１Ａから前部１Ｂへ長く延びる形態をなし、本体２内に形成される内部空間４も前後方向に長く、前部空間４Ａと後部空間４Ｂが連通状態に形成される。そして、ＬＥＤ基板５及び前部空間４Ａも前後方向に長い形態であり、ＬＥＤ基板５は前後方向に長い矩形状の平板形状である。
【００３２】
ＬＥＤ照明器具１は、周囲の照度を検知して日暮れ時から夜明けまでの夜間にＬＥＤ素子７が点灯するように制御部１４に電気的に接続された照度センサＳＳを備える。照度センサＳＳは、制御基板１５と電気的に接続されるセンサ基板１５Ｈに取り付けた光を透過しないホルダ２１内に保持されており、照度センサＳＳがＬＥＤ照明器具１の後方の周囲の照度を検知するように、ホルダ２１が本体２の後壁２Ｂに形成した採光窓（採光孔ともいう）２Ｈに保持されている。ホルダ２１は、照度センサＳＳへ周囲の光が侵入するように後方に開口しており、この開口と採光窓２Ｈを防水状態に塞ぐように透光性のカバー２２が採光窓２Ｈに挿入保持され、透光性のカバー２２とホルダ２１が結合されて、ホルダ２１が採光窓２Ｈに保持される関係である。
【００３３】
ＬＥＤ照明器具１へ外部電源から電力供給を行うために、ＬＥＤ照明器具１へ供給される外部電源ライン２３は、本体２の後壁２Ｂに形成した貫通孔２４に挿入される絶縁ゴム製のブッシング２５を貫通し、その先端に取り付けた電源コネクタ２６が制御部１４の電源部に電気的に接続される。
【００３４】
ＬＥＤ素子７は前後方向に長い矩形状のＬＥＤ基板５の下側面に、前後方向に間隔を存して複数列状態に配置され、熱伝導リブ１１は、ＬＥＤ素子７の各列の裏側（上面側）に対向する位置に形成する。図１に示すように、実施例の場合は、ＬＥＤ素子７はＬＥＤ基板６に前後方向に間隔を存して２列状態に配置され、図３に示すように、熱伝導リブ１１は、２列配置のＬＥＤ素子７に対向する位置の裏側（上面側）に形成している。ＬＥＤ基板５の下面の後端部に、制御部１４のコネクタ１４Ｃと電気的に接続するためにコネクタ９５が配置されている。
【００３５】
本発明の照明器具１は、図４に示すように、電柱等の支柱ＰＬに取り付けバンド３０によって取り付ける方式と、図７に示すように、支柱ＰＬに代わり先端部が横へ延びる円筒状または円柱状のポールＰＰの先端部に取り付ける方式のいずれにも適用可能な取り付け部１０を本体２の後部に備えるものである。
【００３６】
取り付け部１０は、電柱等の支柱ＰＬに取り付けバンド３０によって取り付ける第１取り付け部１０１と、支柱ＰＬに代わり先端部が横へ延びる円筒状または円柱状のポールＰＰの先端部が挿入される第２取り付け部１０２を備えており、第１取り付け部１０１と第２取り付け部１０２は本体２と一体に形成される。
【００３７】
第２取り付け部１０２は、ポールＰＰの斜め上方に向く先端部が挿入されるように、本体２の後壁２Ｂに連続して後方へ延びる円筒状をなし、その円筒状の前面は本体２の後壁２Ｂで塞がれ、その円筒状の後面は解放してポールＰＰの先端部ＰＰ１が挿入される挿入開口１０２Ｋを有する形態である。また、第２取り付け部１０２は、円筒状の後端面１０２Ｒは、支柱ＰＬの柱面（周面）が接触しないような逃げ部となる曲面形状をなす。このため、円筒状の後端面１０２Ｒの曲面は、好ましくは、支柱ＰＬの柱面（周面）の曲面と同等または若干小さな半径で描かれる曲面形状である。
【００３８】
第１取り付け部１０１は、第２取り付け部１０２と一体化する状態で、第２取り付け部１０２の左右両側に並行状態に配置された縦方向の板状の左右取り付け板部１０１Ｂで構成される。左右取り付け板部１０１Ｂの後端面１０１Ｒは、支柱ＰＬの柱面（周面）に縦方向に沿う直線状をなす。左右取り付け板部１０１Ｂと第２取り付け部１０２には、取り付けバンド３０が挿通され係止する縦方向に長い取り付け孔３１を有する。
【００３９】
第１取り付け部１０１により取り付けバンド３０で支柱ＰＬにＬＥＤ照明器具１を取り付ける状態は図４及び図５に示す。略垂直に設置された支柱ＰＬに対して、取り付けバンド３０を取り付け孔３１に通したＬＥＤ照明器具１を準備し、第１取り付け部１０１の左右取り付け板部１０１Ｂの後端面１０１Ｒが支柱ＰＬの周面に縦方向に当接する状態において、支柱ＰＬの周面に取り付けバンド３０を略水平状態に巻き、その状態で取り付けバンド３０を締め付けることにより、支柱ＰＬへＬＥＤ照明器具１を取り付けることができる。
この取り付け状態において、第２取り付け部１０２の円筒状の後端面１０２Ｒが支柱ＰＬの柱面（周面）の曲面に沿うため、後端面１０２Ｒが支柱ＰＬに当接しても、この取り付け状態が安定する。
外部電源ライン２３は、第２取り付け部１０２の後端部の上壁に形成した配線相通部３５を通って、支柱ＰＬの上部または下部に配線した商用電源ラインの部分へ接続される。
【００４０】
このように第１取り付け部１０１により支柱ＰＬにＬＥＤ照明器具１を取り付けた状態は、図４に示すように、ＬＥＤ照明器具１は、水平ラインに対して下面開口２Ａのラインが、後部１Ａより前部１Ｂが角度αだけ若干高くなる傾斜状態を保つ。このような状態となるように、取り付け部１０１が構成されている。これによって、配光部８２のレンズ効果によって、ＬＥＤ照明器具１の前後方向軸に対して左右方向に長い配光が形成されるため、左右方向に長い道路面を照射することができる。
【００４１】
第２取り付け部１０２によりポールＰＰにＬＥＤ照明器具１を取り付ける状態は図７及び図８に示す。
このポールＰＰは、通常は略垂直に設置された状態であり、図６等に示すように、ポールＰＰの先端部ＰＰ１が斜め上方に向く状態である。
外部電源ライン２３は、ポールＰＰにＬＥＤ照明器具１を取り付ける前に、中空のポールＰＰ内を通ってＬＥＤ照明器具１に余裕を有する状態で接続しておく。図６に示すように、この状態で、第２取り付け部１０２挿入開口１０２Ｋに臨ませ、円筒状の第２取り付け部１０２内にポールＰＰの先端部ＰＰ１が挿入される状態とする。この状態で、ポールＰＰの先端部ＰＰ１に対してＬＥＤ照明器具１を回動させて所定の向きに調整し、調整後に第２取り付け部１０２の円筒状の下壁及び側壁に形成した取り付け孔３６に取り付けネジ３７を螺合することにより、取り付けネジ３７が第２取り付け部１０２内のポールＰＰの先端部ＰＰ１を強圧する。これによって、図７及び図８に示すように、ポールＰＰに対してＬＥＤ照明器具１が取り付けられる。
【００４２】
このように第２取り付け部１０２によりＬＥＤ照明器具１を取り付けた状態は、図７に示すようにＬＥＤ照明器具１は、水平ラインに対して下面開口２Ａのラインが、後部１Ａより前部１Ｂが角度αだけ若干高くなる傾斜状態を保つ。このような状態となるように、取り付け部１０２が構成されている。これによって、配光部８２のレンズ効果によって、ＬＥＤ照明器具１の前後方向軸に対して左右方向に長い配光が形成されるため、左右方向に長い道路面を照射することができる。
【００４３】
採光窓２Ｈは、取り付け部１０の外側、即ち、左右取り付け板部１０１Ｂの外側位置で本体２の後壁２Ｂに形成されているため、上記のように取り付け部１０による照明器具１の取り付けにおいて、照度センサＳＳがＬＥＤ照明器具１の後方の周囲の照度を検知でき、日没による照度低下を検知し制御部１４の動作に基づきＬＥＤ素子７を発光させ、日の出による照度上昇を検知し制御部１４の動作に基づきＬＥＤ素子７を消灯させるように動作する。
【００４４】
照明器具１は、本体２の下側に本体２の下面開口部２Ａを透光性カバー３で閉塞する照明器具１は、完全密閉ではない。このため、照明器具１の内部空間４は、ＬＥＤ素子７の点灯による温度上昇によって圧力が上昇し、消灯により温度が低下して圧力が低下する。このような圧力の変動によって所謂呼吸作用が生じ、内部空間４に空気の出入りが生じる。温度低下に伴って内部空間４の空気中に含まれる湿気が凝縮し、透光性カバー３の内面等に付着する。また、経年によって照明器具１の内部に雨水が侵入することがある。このような凝縮水や侵入した水は、ＬＥＤ素子７の点灯によって蒸発し、この蒸発水が照明器具１の内部空間４に収容した電器部品に付着して、故障の原因となる。
【００４５】
このような故障の原因を排除するために、透光性カバー３の低部に凝縮水の排水孔５０を設ける。しかし、この排水孔５０に水が付着している状態で、前記のような呼吸作用が生じると、排水孔５０に付着している水が排水孔５０から照明器具１内に吸入され、これが上記のように蒸発すれば故障の原因となる。
【００４６】
本発明は、このような課題の解決のために、図１０乃至図１２に示すように、照明器具１の内外を連通するように、透光性カバー３の下面低部３Ｂを貫通して排水孔５０を設け、透光性カバー３の外面を流れる水が排水孔５０を迂回して流れる迂回流路を形成するように突出壁４０を設ける。上記のように、照明器具１は、取り付け状態において透光性カバー３の下面は後部よりも前部が高くなる取り付け構成であり、照明器具１の取り付け状態において、図示の透光性カバー３の下面は、前部から後部に向けて次第に下方となる傾斜をなしており、後部から急峻に本体２に向けた立ち上がり部３Ｇを形成する形態をなす。図２に示すように、このような形態の透光性カバー３の下面の低部３Ｂは、ＬＥＤ基板５よりも後方位置であり、制御基板１５が配置される後部空間４Ｂの後部分に対応する位置である。
【００４７】
図４及び図７に示すように、ＬＥＤ照明器具１は、水平ラインに対して開口部２Ａのラインが、後部１Ａより前部１Ｂが角度αだけ若干高くなる傾斜状態を保つ。この状態で、透光性カバー３の下面は前部から後部に向けて次第に下方となる傾斜をなしており、後部から急峻に本体２に向けた立ち上がり部３Ｇを形成する形態をなし、透光性カバー３の最低部には、排水孔５１とその周囲を囲む突壁４０を備える。
このため、図２、図１０及び図１１に示すように、透光性カバー３の下面における立ち上がり部３Ｇの起点部が透光性カバー３の最低部３Ｂとなり、この最低部３Ｂに排水孔５０が形成されている。突出壁４０は、排水孔５０を前側から左右両側にかけて取り囲み、左右両側壁部の後端４０Ｐ間に、排水孔５０の後側に開口する開口部４１を有する。
【００４８】
図２及び図１１に示すように、突出壁４０は、透光性カバー３の側面視で、排水孔５０の前側部４０Ｆが高く排水孔５０の後側部４０Ｂが低い形態をなし、後端部に開口部４１を有して排水孔５０の全体を覆う高さである。
【００４９】
また、図２、図１０及び図１１に示すように、突出壁４０の後端４０Ｐは、透光性カバー３の最低部３Ｂと同等位置または最低部３Ｂから後方に延出する開口部４１を有する。図示のものは、突出壁４０の後端４０Ｐが透光性カバー３の最低部３Ｂよりも後方に延出しており、水切り作用を効果ならしめている。
【００５０】
また、図１０及び図１２に示すように、突出壁４０は、透光性カバー３の平面視で、透光性カバー３を流れる水の上流側から下流側に向けて上流側である前側部４０Ｆが先細り形状をなし、下流側が大きくなる水滴形状である。これによって、突出壁４０周辺を伝う水の流れがスムーズになり、水切り作用も良好となり、排水孔５０への水の付着や、排水孔５０から照明器具１内への水の侵入防止作用が良好となる。
【００５１】
図１０及び図１２に示すように、排水孔５０は、照明器具１の内外間の吸気作用と、照明器具１内の水の排出作用が行われるように、可能な限り細い孔形態が望ましい。このため、透光性カバー３を流れる水が上流側から下流側に向けて流れるように、前後方向に細長く延びる並列の複数の長孔で形成している。各長孔の幅は１ｍｍ以下であり、図示のものは、幅が０．５ｍｍで３本の長孔で形成している。これによって、水によって排水孔５０が塞がれる懸念は解消する。
【００５２】
この様な構成によって、突出壁４０によって排水孔５０への雨水の流入が抑制され、また、照明器具１内の水は、排水孔５０から流出し、排水孔５０の後側に開口する突出壁４０の開口部４１から速やかに排水される。また、ＬＥＤ素子７の点灯及び消灯により、排水孔５０を通した空気流通作用が生じるため、照明器具１の内外圧力差の解消が得られる。このため、ＬＥＤ素子７の消灯時に少なくとも排水孔５０の一部によって照明器具１の内外が連通しておれば、照明器具１内の圧力が低下しても、排水孔５０から照明器具１内への吸水作用が抑制できる。
【００５３】
本発明は、発明の範囲内における種々の変更が可能であり、ＬＥＤ照明器具１の形態も上記に限定されることなく、種々の形態のＬＥＤ照明器具１に適用可能である。
【符号の説明】
【００５４】
１          ＬＥＤ照明器具
２          本体
２Ａ        本体の下面開口
３          透光性カバー
３Ｂ        透光性カバーの低部
４          内部空間
５          ＬＥＤ基板
６          発光部
７          ＬＥＤ素子
８          配光ユニット
１０        取り付け部
４０        突出壁
４１        突出壁４０の開口部
５０        排水孔
ＰＬ        支柱
ＰＰ        ポール
【図１】
2017208264.tif 000003
【図２】
2017208264.tif 000004
【図３】
2017208264.tif 000005
【図４】
2017208264.tif 000006
【図５】
2017208264.tif 000007
【図６】
2017208264.tif 000008
【図７】
2017208264.tif 000009
【図８】
2017208264.tif 000010
【図９】
2017208264.tif 000011
【図１０】
2017208264.tif 000012
【図１１】
2017208264.tif 000013
【図１２】
2017208264.tif 000014